(57)【要約】【課題】画像出力装置が部分コンテンツを好適なタイミングで表示部に表示できる技術を提供する。【解決手段】本発明の情報処理端末は、接続された画像出力装置との間の通信を行う通信手段と、ユーザ操作を受け付ける操作手段と、編集操作に応じて部分コンテンツを編集する編集手段と、編集手段の編集結果をリアルタイムで第２の表示部に表示する表示制御を行う制御手段と、を有し、通信手段は、編集手段による部分コンテンツの編集状態を示す状態情報を画像出力装置に送信し、画像出力装置に接続された各情報処理端末の状態情報に基づいて生成された情報を画像出力装置から受信し、画像出力装置から受信した情報に基づいて、画像出力装置に接続された全ての情報処理端末の編集対象が同一である場合と、そうでない場合とで、互いに異なる方法で第１の表示部の表示が更新されるように、データを画像出力装置に送信する。【選択図】図１
2017049625.tif 000002
【特許請求の範囲】
【請求項１】
第１の表示部に画像を表示できる画像出力装置に接続可能な情報処理端末であって、
接続された画像出力装置との間の通信を行う通信手段と、
ユーザ操作を受け付ける操作手段と、
コンテンツを構成する複数の部分コンテンツのいずれかを編集するユーザ操作である編集操作に応じて、当該部分コンテンツを編集する編集手段と、
前記編集手段の編集結果をリアルタイムで第２の表示部に表示する表示制御を行う制御手段と、
を有し、
前記通信手段は、
前記編集手段による部分コンテンツの編集状態を示す状態情報を前記画像出力装置に送信し、
前記画像出力装置に接続された各情報処理端末の状態情報に基づいて生成された情報を前記画像出力装置から受信し、
前記画像出力装置から受信した前記情報に基づいて、
前記画像出力装置に接続された全ての情報処理端末の編集対象が同じ部分コンテンツである場合に、前記編集手段の編集結果が前記第１の表示部に順次更新されて表示されるように、前記編集手段の編集結果を前記画像出力装置に出力し、
前記画像出力装置に接続された少なくとも１つの情報処理端末の編集対象が、前記画像出力装置に接続された他の情報処理端末の編集対象と異なる場合に、前記第１の表示部の表示を更新するユーザ操作である更新操作に応じて前記第１の表示部の表示が前記編集手段の編集結果に更新されるように、前記更新操作に応じて表示の更新を前記画像出力装置に指示する
ことを特徴とする情報処理端末。
【請求項２】
前記通信手段は、前記全ての情報処理端末の編集対象が同じ部分コンテンツである場合に、前記表示の更新を前記画像出力装置に繰り返し指示する
ことを特徴とする請求項１に記載の情報処理端末。
【請求項３】
前記通信手段は、前記全ての情報処理端末の編集対象が同じ部分コンテンツである場合に、前記編集手段の編集結果が前記第１の表示部に所定の時間間隔で順次更新されて表示されるように、前記編集手段の編集結果を前記画像出力装置に出力する
ことを特徴とする請求項１または２に記載の情報処理端末。
【請求項４】
前記全ての情報処理端末の編集対象が同じ部分コンテンツである場合に、
前記通信手段は、
前記編集手段が部分コンテンツの編集を行っている期間に、前記編集手段の編集結果が前記第１の表示部に所定の時間間隔で順次更新されて表示されるように、前記編集手段の編集結果を前記画像出力装置に出力し、
前記編集手段による部分コンテンツの編集が完了したタイミングでも前記第１の表示部の表示が前記編集手段の編集結果に更新されるように、当該タイミングで前記表示の更新を前記画像出力装置に指示する
ことを特徴とする請求項１〜３のいずれか１項に記載の情報処理端末。
【請求項５】
前記通信手段によって前記画像出力装置から受信された前記情報に基づいて、前記画像出力装置に接続された他の情報処理端末が前記編集手段の編集対象と同じ部分コンテンツを編集している場合に、前記編集手段による編集を無効化する無効化手段をさらに有することを特徴とする請求項１〜４のいずれか１項に記載の情報処理端末。
【請求項６】
前記無効化手段は、前記画像出力装置に接続された他の情報処理端末が前記編集手段の編集対象と同じ部分コンテンツを編集している場合に、前記操作手段による前記編集操作の受け付けを無効化する
ことを特徴とする請求項５に記載の情報処理端末。
【請求項７】
前記通信手段によって前記画像出力装置から受信された前記情報は、前記画像出力装置に接続された各情報処理端末について部分コンテンツの編集状態を示す総合状態情報である
ことを特徴とする請求項１〜６のいずれか１項に記載の情報処理端末。
【請求項８】
前記通信手段が前記画像出力装置から受信する前記情報は、前記全ての情報処理端末の編集対象が同じ部分コンテンツであるか否かの判断結果に基づく情報である
ことを特徴とする請求項１〜４のいずれか１項に記載の情報処理端末。
【請求項９】
前記通信手段が前記画像出力装置から受信する前記情報は、前記全ての情報処理端末の編集対象が同じ部分コンテンツであるか否かの判断結果と、前記画像出力装置に接続された他の情報処理端末が前記編集手段の編集対象と同じ部分コンテンツを編集しているか否かの判断結果とに基づく情報である
ことを特徴とする請求項５または６に記載の情報処理端末。
【請求項１０】
コンテンツを構成する複数の部分コンテンツのいずれかを編集できる情報処理端末に接続可能な画像出力装置であって、
接続された情報処理端末との間の通信を行う通信手段と、
表示部に画像を表示する表示制御を行う制御手段と、
を有し、
前記通信手段は、接続された情報処理端末による部分コンテンツの編集状態を示す状態情報を当該情報処理端末から受信する処理を、接続された各情報処理端末について行い、
前記制御手段は、前記通信手段によって受信された前記状態情報に基づいて、
接続された全ての情報処理端末の編集対象が同じ部分コンテンツである場合に、接続された情報処理端末から前記通信手段によって受信された当該部分コンテンツの編集結果を前記表示部に順次更新して表示する表示制御を行い、
接続された少なくとも１つの情報処理端末の編集対象が、接続された他の情報処理端末の編集対象と異なる場合に、前記表示部の表示を更新する指示を前記通信手段が情報処理端末から受信したことに応じて、当該情報処理端末の編集結果に前記表示部の表示を更新する表示制御を行う
ことを特徴とする画像出力装置。
【請求項１１】
第１の表示部に画像を表示できる画像出力装置に接続可能な情報処理端末の制御方法であって、
接続された画像出力装置との間の通信を行う通信ステップと、
ユーザ操作を受け付ける操作ステップと、
コンテンツを構成する複数の部分コンテンツのいずれかを編集するユーザ操作である編集操作に応じて、当該部分コンテンツを編集する編集ステップと、
前記編集ステップの編集結果をリアルタイムで第２の表示部に表示する表示制御を行う制御ステップと、
を有し、
前記通信ステップでは、
前記編集ステップによる部分コンテンツの編集状態を示す状態情報を前記画像出力装置に送信し、
前記画像出力装置に接続された各情報処理端末の状態情報に基づいて生成された情報
を前記画像出力装置から受信し、
前記画像出力装置から受信した前記情報に基づいて、
前記画像出力装置に接続された全ての情報処理端末の編集対象が同じ部分コンテンツである場合に、前記編集ステップの編集結果が前記第１の表示部に順次更新されて表示されるように、前記編集ステップの編集結果を前記画像出力装置に出力し、
前記画像出力装置に接続された少なくとも１つの情報処理端末の編集対象が、前記画像出力装置に接続された他の情報処理端末の編集対象と異なる場合に、前記第１の表示部の表示を更新するユーザ操作である更新操作に応じて前記第１の表示部の表示が前記編集ステップの編集結果に更新されるように、前記更新操作に応じて表示の更新を前記画像出力装置に指示する
ことを特徴とする情報処理端末の制御方法。
【請求項１２】
コンテンツを構成する複数の部分コンテンツのいずれかを編集できる情報処理端末に接続可能な画像出力装置の制御方法であって、
接続された情報処理端末との間の通信を行う通信ステップと、
表示部に画像を表示する表示制御を行う制御ステップと、
を有し、
前記通信ステップでは、接続された情報処理端末による部分コンテンツの編集状態を示す状態情報を当該情報処理端末から受信する処理を、接続された各情報処理端末について行い、
前記制御ステップでは、前記通信ステップによって受信された前記状態情報に基づいて、
接続された全ての情報処理端末の編集対象が同じ部分コンテンツである場合に、接続された情報処理端末から前記通信ステップによって受信された当該部分コンテンツの編集結果を前記表示部に順次更新して表示する表示制御を行い、
接続された少なくとも１つの情報処理端末の編集対象が、接続された他の情報処理端末の編集対象と異なる場合に、前記表示部の表示を更新する指示を前記通信ステップが情報処理端末から受信したことに応じて、当該情報処理端末の編集結果に前記表示部の表示を更新する表示制御を行う
ことを特徴とする画像出力装置の制御方法。
【請求項１３】
第１の表示部に画像を表示できる画像出力装置に接続可能な情報処理端末の制御方法の各ステップをコンピュータに実行させるプログラムであって、
前記制御方法は、
接続された画像出力装置との間の通信を行う通信ステップと、
ユーザ操作を受け付ける操作ステップと、
コンテンツを構成する複数の部分コンテンツのいずれかを編集するユーザ操作である編集操作に応じて、当該部分コンテンツを編集する編集ステップと、
前記編集ステップの編集結果をリアルタイムで第２の表示部に表示する表示制御を行う制御ステップと、
を有し、
前記通信ステップでは、
前記編集ステップによる部分コンテンツの編集状態を示す状態情報を前記画像出力装置に送信し、
前記画像出力装置に接続された各情報処理端末の状態情報に基づいて生成された情報を前記画像出力装置から受信し、
前記画像出力装置から受信した前記情報に基づいて、
前記画像出力装置に接続された全ての情報処理端末の編集対象が同じ部分コンテンツである場合に、前記編集ステップの編集結果が前記第１の表示部に順次更新されて表示されるように、前記編集ステップの編集結果を前記画像出力装置に出力し、
前記画像出力装置に接続された少なくとも１つの情報処理端末の編集対象が、前記画像出力装置に接続された他の情報処理端末の編集対象と異なる場合に、前記第１の表示部の表示を更新するユーザ操作である更新操作に応じて前記第１の表示部の表示が前記編集ステップの編集結果に更新されるように、前記更新操作に応じて表示の更新を前記画像出力装置に指示する
ことを特徴とするプログラム。
【請求項１４】
コンテンツを構成する複数の部分コンテンツのいずれかを編集できる情報処理端末に接続可能な画像出力装置の制御方法の各ステップをコンピュータに実行させるプログラムであって、
前記制御方法は、
接続された情報処理端末との間の通信を行う通信ステップと、
表示部に画像を表示する表示制御を行う制御ステップと、
を有し、
前記通信ステップでは、接続された情報処理端末による部分コンテンツの編集状態を示す状態情報を当該情報処理端末から受信する処理を、接続された各情報処理端末について行い、
前記制御ステップでは、前記通信ステップによって受信された前記状態情報に基づいて、
接続された全ての情報処理端末の編集対象が同じ部分コンテンツである場合に、接続された情報処理端末から前記通信ステップによって受信された当該部分コンテンツの編集結果を前記表示部に順次更新して表示する表示制御を行い、
接続された少なくとも１つの情報処理端末の編集対象が、接続された他の情報処理端末の編集対象と異なる場合に、前記表示部の表示を更新する指示を前記通信ステップが情報処理端末から受信したことに応じて、当該情報処理端末の編集結果に前記表示部の表示を更新する表示制御を行う
ことを特徴とするプログラム。
【発明の詳細な説明】
【技術分野】
【０００１】
本発明は、情報処理端末、画像出力装置、情報処理端末の制御方法、及び、画像出力装置の制御方法に関する。
【背景技術】
【０００２】
コンテンツの一部である部分コンテンツを情報処理端末が編集し、編集後の部分コンテンツを情報処理端末が画像出力装置に送信し、編集後の部分コンテンツを画像出力装置が表示部に表示する技術が知られている。この技術では、画像出力装置が部分コンテンツを好適なタイミングで表示部に表示することが望まれる。特許文献１には、複数の情報処理端末がコンテンツ編集を行う場合に、編集操作に対応した所定のタイミングで共有画面における表示を更新する技術が記載されている。この技術によれば、編集操作に対応した所定のタイミングで、部分コンテンツを共有画面に表示できる。
【先行技術文献】
【特許文献】
【０００３】
【特許文献１】特開２００３−２８１１０１号公報
【発明の概要】
【発明が解決しようとする課題】
【０００４】
しかしながら、上述の特許文献１に記載の技術では、複数の情報処理端末の編集状態は考慮されていない。画像出力装置が部分コンテンツを表示部に表示する好適なタイミングは、複数の情報処理端末の編集状態に依存する。例えば、全ての情報処理端末の編集対象が同一である場合と、そうでない場合とで、上記好適なタイミングは異なる。そのため、上述の特許文献１に記載の技術を用いたとしても、部分コンテンツを好適なタイミングで共有画面に表示できないことがある。
【０００５】
本発明は、複数の情報処理端末の編集状態に依らず、画像出力装置が部分コンテンツを好適なタイミングで表示部に表示できる技術を提供することを目的とする。
【課題を解決するための手段】
【０００６】
本発明の第１の態様は、
第１の表示部に画像を表示できる画像出力装置に接続可能な情報処理端末であって、
接続された画像出力装置との間の通信を行う通信手段と、
ユーザ操作を受け付ける操作手段と、
コンテンツを構成する複数の部分コンテンツのいずれかを編集するユーザ操作である編集操作に応じて、当該部分コンテンツを編集する編集手段と、
前記編集手段の編集結果をリアルタイムで第２の表示部に表示する表示制御を行う制御手段と、
を有し、
前記通信手段は、
前記編集手段による部分コンテンツの編集状態を示す状態情報を前記画像出力装置に送信し、
前記画像出力装置に接続された各情報処理端末の状態情報に基づいて生成された情報を前記画像出力装置から受信し、
前記画像出力装置から受信した前記情報に基づいて、
前記画像出力装置に接続された全ての情報処理端末の編集対象が同じ部分コンテン
ツである場合に、前記編集手段の編集結果が前記第１の表示部に順次更新されて表示されるように、前記編集手段の編集結果を前記画像出力装置に出力し、
前記画像出力装置に接続された少なくとも１つの情報処理端末の編集対象が、前記画像出力装置に接続された他の情報処理端末の編集対象と異なる場合に、前記第１の表示部の表示を更新するユーザ操作である更新操作に応じて前記第１の表示部の表示が前記編集手段の編集結果に更新されるように、前記更新操作に応じて表示の更新を前記画像出力装置に指示する
ことを特徴とする情報処理端末である。
【０００７】
本発明の第２の態様は、
コンテンツを構成する複数の部分コンテンツのいずれかを編集できる情報処理端末に接続可能な画像出力装置であって、
接続された情報処理端末との間の通信を行う通信手段と、
表示部に画像を表示する表示制御を行う制御手段と、
を有し、
前記通信手段は、接続された情報処理端末による部分コンテンツの編集状態を示す状態情報を当該情報処理端末から受信する処理を、接続された各情報処理端末について行い、
前記制御手段は、前記通信手段によって受信された前記状態情報に基づいて、
接続された全ての情報処理端末の編集対象が同じ部分コンテンツである場合に、接続された情報処理端末から前記通信手段によって受信された当該部分コンテンツの編集結果を前記表示部に順次更新して表示する表示制御を行い、
接続された少なくとも１つの情報処理端末の編集対象が、接続された他の情報処理端末の編集対象と異なる場合に、前記表示部の表示を更新する指示を前記通信手段が情報処理端末から受信したことに応じて、当該情報処理端末の編集結果に前記表示部の表示を更新する表示制御を行う
ことを特徴とする画像出力装置である。
【０００８】
本発明の第３の態様は、
第１の表示部に画像を表示できる画像出力装置に接続可能な情報処理端末の制御方法であって、
接続された画像出力装置との間の通信を行う通信ステップと、
ユーザ操作を受け付ける操作ステップと、
コンテンツを構成する複数の部分コンテンツのいずれかを編集するユーザ操作である編集操作に応じて、当該部分コンテンツを編集する編集ステップと、
前記編集ステップの編集結果をリアルタイムで第２の表示部に表示する表示制御を行う制御ステップと、
を有し、
前記通信ステップでは、
前記編集ステップによる部分コンテンツの編集状態を示す状態情報を前記画像出力装置に送信し、
前記画像出力装置に接続された各情報処理端末の状態情報に基づいて生成された情報を前記画像出力装置から受信し、
前記画像出力装置から受信した前記情報に基づいて、
前記画像出力装置に接続された全ての情報処理端末の編集対象が同じ部分コンテンツである場合に、前記編集ステップの編集結果が前記第１の表示部に順次更新されて表示されるように、前記編集ステップの編集結果を前記画像出力装置に出力し、
前記画像出力装置に接続された少なくとも１つの情報処理端末の編集対象が、前記画像出力装置に接続された他の情報処理端末の編集対象と異なる場合に、前記第１の表示部の表示を更新するユーザ操作である更新操作に応じて前記第１の表示部の表示が前記編集ステップの編集結果に更新されるように、前記更新操作に応じて表示の更新を前記画像
出力装置に指示する
ことを特徴とする情報処理端末の制御方法である。
【０００９】
本発明の第４の態様は、
コンテンツを構成する複数の部分コンテンツのいずれかを編集できる情報処理端末に接続可能な画像出力装置の制御方法であって、
接続された情報処理端末との間の通信を行う通信ステップと、
表示部に画像を表示する表示制御を行う制御ステップと、
を有し、
前記通信ステップでは、接続された情報処理端末による部分コンテンツの編集状態を示す状態情報を当該情報処理端末から受信する処理を、接続された各情報処理端末について行い、
前記制御ステップでは、前記通信ステップによって受信された前記状態情報に基づいて、
接続された全ての情報処理端末の編集対象が同じ部分コンテンツである場合に、接続された情報処理端末から前記通信ステップによって受信された当該部分コンテンツの編集結果を前記表示部に順次更新して表示する表示制御を行い、
接続された少なくとも１つの情報処理端末の編集対象が、接続された他の情報処理端末の編集対象と異なる場合に、前記表示部の表示を更新する指示を前記通信ステップが情報処理端末から受信したことに応じて、当該情報処理端末の編集結果に前記表示部の表示を更新する表示制御を行う
ことを特徴とする画像出力装置の制御方法である。
【００１０】
本発明の第５の態様は、
第１の表示部に画像を表示できる画像出力装置に接続可能な情報処理端末の制御方法の各ステップをコンピュータに実行させるプログラムであって、
前記制御方法は、
接続された画像出力装置との間の通信を行う通信ステップと、
ユーザ操作を受け付ける操作ステップと、
コンテンツを構成する複数の部分コンテンツのいずれかを編集するユーザ操作である編集操作に応じて、当該部分コンテンツを編集する編集ステップと、
前記編集ステップの編集結果をリアルタイムで第２の表示部に表示する表示制御を行う制御ステップと、
を有し、
前記通信ステップでは、
前記編集ステップによる部分コンテンツの編集状態を示す状態情報を前記画像出力装置に送信し、
前記画像出力装置に接続された各情報処理端末の状態情報に基づいて生成された情報を前記画像出力装置から受信し、
前記画像出力装置から受信した前記情報に基づいて、
前記画像出力装置に接続された全ての情報処理端末の編集対象が同じ部分コンテンツである場合に、前記編集ステップの編集結果が前記第１の表示部に順次更新されて表示されるように、前記編集ステップの編集結果を前記画像出力装置に出力し、
前記画像出力装置に接続された少なくとも１つの情報処理端末の編集対象が、前記画像出力装置に接続された他の情報処理端末の編集対象と異なる場合に、前記第１の表示部の表示を更新するユーザ操作である更新操作に応じて前記第１の表示部の表示が前記編集ステップの編集結果に更新されるように、前記更新操作に応じて表示の更新を前記画像出力装置に指示する
ことを特徴とするプログラムである。
【００１１】
本発明の第６の態様は、
コンテンツを構成する複数の部分コンテンツのいずれかを編集できる情報処理端末に接続可能な画像出力装置の制御方法の各ステップをコンピュータに実行させるプログラムであって、
前記制御方法は、
接続された情報処理端末との間の通信を行う通信ステップと、
表示部に画像を表示する表示制御を行う制御ステップと、
を有し、
前記通信ステップでは、接続された情報処理端末による部分コンテンツの編集状態を示す状態情報を当該情報処理端末から受信する処理を、接続された各情報処理端末について行い、
前記制御ステップでは、前記通信ステップによって受信された前記状態情報に基づいて、
接続された全ての情報処理端末の編集対象が同じ部分コンテンツである場合に、接続された情報処理端末から前記通信ステップによって受信された当該部分コンテンツの編集結果を前記表示部に順次更新して表示する表示制御を行い、
接続された少なくとも１つの情報処理端末の編集対象が、接続された他の情報処理端末の編集対象と異なる場合に、前記表示部の表示を更新する指示を前記通信ステップが情報処理端末から受信したことに応じて、当該情報処理端末の編集結果に前記表示部の表示を更新する表示制御を行う
ことを特徴とするプログラムである。
【発明の効果】
【００１２】
本願発明によれば、複数の情報処理端末の編集状態に依らず、画像出力装置が部分コンテンツを好適なタイミングで表示部に表示できる。
【図面の簡単な説明】
【００１３】
【図１】本実施形態に係る情報処理システムの構成の一例を示す図
【図２】本実施形態に係る画像の一例を示す図
【図３】本実施形態に係る管理情報の一例を示す図
【図４】本実施形態に係る情報処理システムの処理フローの一例を示す図
【図５】本実施形態に係るスマートフォンの処理フローの一例を示す図
【図６】本実施形態に係るスマートフォンの処理フローの一例を示す図
【図７】本実施形態に係るメディアプレイヤの処理フローの一例を示す図
【発明を実施するための形態】
【００１４】
以下、本発明の実施形態について、添付の図面を用いて詳細に説明する。なお、以下の実施形態は、一例であり、本発明が適用される装置の構成、各種条件、等によって適宜修正又は変更されてもよい。
【００１５】
＜システムの構成＞
図１は、本実施形態に係る情報処理システムの構成の一例を示すブロック図である。図１に示すように、本実施形態に係る情報処理システムは、スマートフォンＡ１００、メディアプレイヤＢ１００、無線ＬＡＮアクセスポイントＣ１００、及び、表示装置Ｄ１００を有する。なお、ここでは、情報処理端末としてスマートフォンを用い、かつ、画像出力装置としてメディアプレイヤを用いた例を説明するが、情報処理端末と画像出力装置はこれに限られない。例えば、情報処理端末として、タブレットデバイス、ゲームコントローラ、パーソナルコンピュータ、等が使用されてもよい。情報処理装置として、ゲーム機、セットトップボックス、等が使用されてもよい。
【００１６】
スマートフォンＡ１００は、フォトブックを構成する複数のページのいずれかを編集でき、メディアプレイヤＢ１００は、表示装置Ｄ１００（第１の表示部）に画像を表示できる。表示装置Ｄ１００としては、液晶表示装置、有機ＥＬ表示装置、プラズマ表示装置、プロジェクタ、等を使用することができる。スマートフォンＡ１００とメディアプレイヤＢ１００は、互いに接続可能である。本実施形態では、無線ＬＡＮアクセスポイントＣ１００を介して、スマートフォンＡ１００とメディアプレイヤＢ１００が互いに接続される。
【００１７】
なお、表示装置Ｄ１００は、メディアプレイヤＢ１００とは別体の装置であってもよいし、メディアプレイヤＢ１００と一体化されていてもよい。また、スマートフォンＡ１００とメディアプレイヤＢ１００の接続方法（通信方法）は特に限定されない。例えば、メディアプレイヤＢ１００がアクセスポイントとして動作し、無線ＬＡＮアクセスポイントＣ１００を介さずにスマートフォンＡ１００とメディアプレイヤＢ１００との間の通信が行われてもよい。即ち、スマートフォンＡ１００とメディアプレイヤＢ１００が間接接続されてもよいし、スマートフォンＡ１００とメディアプレイヤＢ１００が直接接続されてもよい。スマートフォンＡ１００とメディアプレイヤＢ１００が有線接続されてもよいし、スマートフォンＡ１００とメディアプレイヤＢ１００が無線接続されてもよい。また、図１には、１台のメディアプレイヤＢ１００に対して１台のスマートフォンＡ１００が接続されている例が示されているが、１台のメディアプレイヤＢ１００に対して複数台のスマートフォンが接続されてもよい。本実施形態では、メディアプレイヤＢ１００に接続されたスマートフォンは、スマートフォンＡ１００と同様の機能を有する。
【００１８】
スマートフォンＡ１００の構成について説明する。
【００１９】
制御部Ａ１０１は、制御部Ａ１０１に入力された信号、プログラム、等に従ってスマートフォンＡ１００の各機能部の処理を制御する。なお、スマートフォンＡ１００の処理全体を制御部Ａ１０１が制御する代わりに、スマートフォンＡ１００の処理を複数のハードウェアが分担して制御することで、スマートフォンＡ１００の処理全体が制御されてもよい。
【００２０】
メモリＡ１０２は、各種データを一時的に保持するバッファメモリ、制御部Ａ１０１のワークメモリ、等として使用される。
【００２１】
不揮発性メモリＡ１０３は、電力が供給されていない状態でデータを保持可能なメモリである。不揮発性メモリＡ１０３には、例えば、制御部Ａ１０１で実行されるアプリケーション等が格納される。本実施形態では、不揮発性メモリＡ１０３に、フォトブック編集のためのアプリケーション（フォトブック編集アプリ）が少なくとも格納されている。制御部Ａ１０１は、不揮発性メモリＡ１０３にデータを格納したり、不揮発性メモリＡ１０３に格納されたデータを消去したりできる。
【００２２】
記録媒体Ａ１０４は、各種データを記憶することができる。記録媒体Ａ１０４は、スマートフォンＡ１００に着脱可能な記録媒体であってもよいし、スマートフォンＡ１００に内蔵された記録媒体であってもよい。すなわち、スマートフォンＡ１００は、記録媒体Ａ１０４にアクセスする機能を少なくとも有していればよい。本実施形態では、記録媒体Ａ１０４にアクセスする機能を、制御部Ａ１０１が有する。
【００２３】
操作部Ａ１０５は、スマートフォンＡ１００に対するユーザ操作を受け付ける。操作部Ａ１０５は、例えば、ユーザがスマートフォンＡ１００の電源のＯＮ／ＯＦＦを指示するための電源ボタン、ユーザが画面遷移を指示するための操作ボタン、等を含む。また、後述する表示部Ａ１０６（第２の表示部）に設けられたタッチパネルも操作部Ａ１０５に含
まれる。
【００２４】
表示部Ａ１０６は、画像を表示する。例えば、表示部Ａ１０６は、対話的な操作のためのＧＵＩ（Ｇｒａｐｈｉｃａｌ  Ｕｓｅｒ  Ｉｎｔｅｒｆａｃｅ）画像を表示する。表示部Ａ１０６としては、液晶表示パネル、有機ＥＬ表示パネル、プラズマ表示パネル、等を使用することができる。なお、表示部Ａ１０６は、スマートフォンＡ１００と一体化されていてもよいし、スマートフォンＡ１００とは別体の装置であってもよい。すなわち、スマートフォンＡ１００は、表示部Ａ１０６に画像を表示する表示制御を行う機能を少なくとも有していればよい。本実施形態では、表示部Ａ１０６に画像を表示する表示制御を行う機能を、制御部Ａ１０１が有する。
【００２５】
無線ＬＡＮ部Ａ１１１は、無線通信を行う通信ユニットである。無線ＬＡＮ部Ａ１１１は、無線通信のためのアンテナと、無線信号を処理するための通信コントローラとを有し、ＩＥＥＥ８０２．１１規格に従った無線通信を行う。本実施形態では、無線ＬＡＮ部Ａ１１１は、スマートフォンＡ１００に接続されたメディアプレイヤＢ１００との間の通信を行う。具体的には、無線ＬＡＮ部Ａ１１１は、無線ＬＡＮアクセスポイントＣ１００を介して、メディアプレイヤＢ１００との間の通信を行う。無線ＬＡＮ部Ａ１１１の通信は、制御部Ａ１０１によって制御される。なお、通信規格はＩＥＥＥ８０２．１１規格に限られない。
【００２６】
メディアプレイヤＢ１００の構成について説明する。
【００２７】
制御部Ｂ１０１は、制御部Ｂ１０１に入力された信号、プログラム、等に従ってメディアプレイヤＢ１００の各機能部の処理を制御する。なお、メディアプレイヤＢ１００の処理全体を制御部Ｂ１０１が制御する代わりに、メディアプレイヤＢ１００の処理を複数のハードウェアが分担して制御することで、メディアプレイヤＢ１００の処理全体が制御されてもよい。
【００２８】
メモリＢ１０２は、各種データを一時的に保持するバッファメモリ、制御部Ｂ１０１のワークメモリ、等として使用される。
【００２９】
不揮発性メモリＢ１０３は、電力が供給されていない状態でデータを保持可能なメモリである。不揮発性メモリＢ１０３には、例えば、制御部Ｂ１０１で実行されるプログラム等が格納される。制御部Ｂ１０１は、不揮発性メモリＢ１０３にデータを格納したり、不揮発性メモリＢ１０３に格納されたデータを消去したりできる。
【００３０】
記録媒体Ｂ１０４は、各種データを記憶することができる。記録媒体Ｂ１０４は、メディアプレイヤＢ１００に着脱可能な記録媒体であってもよいし、メディアプレイヤＢ１００に内蔵された記録媒体であってもよい。すなわち、メディアプレイヤＢ１００は、記録媒体Ｂ１０４にアクセスする機能を少なくとも有していればよい。本実施形態では、記録媒体Ｂ１０４にアクセスする機能を、制御部Ｂ１０１が有する。
【００３１】
操作部Ｂ１０５は、メディアプレイヤＢ１００に対するユーザ操作を受け付ける。操作部Ｂ１０５は、例えば、ユーザがメディアプレイヤＢ１００の電源のＯＮ／ＯＦＦを指示するための電源ボタン、ユーザが画面遷移を指示するための操作ボタン、等を含む。また、操作部Ｂ１０５は、外部からの赤外線信号を受信する受光素子を有する。操作部Ｂ１０５（受光素子）は、不図示のリモートコントローラ（リモコン）からの赤外線信号を受信することで、リモコンに対するユーザ操作を受け付けることができる。
【００３２】
表示インターフェースＢ１０６は、表示装置Ｄ１００に画像データを出力するインター
フェースである。表示インターフェースＢ１０６が表示装置Ｄ１００に画像データを出力することで、当該画像データに基づく画像が表示装置Ｄ１００に表示される。表示インターフェースＢ１０６から出力される画像データは、例えば、メディアプレイヤＢ１００で実行されるプログラムのＧＵＩ画像を表す画像データ、記録媒体Ｂ１０４に格納されたデジタルコンテンツを表す画像データ、等である。本実施形態では、表示インターフェースＢ１０６は、ＨＤＭＩ（登録商標）出力端子などを有し、ＨＤＭＩケーブルを用いて表示装置Ｄ１００に接続される。なお、メディアプレイヤＢ１００と表示装置Ｄ１００の接続方法は特に限定されない。また、本実施形態では、表示装置Ｄ１００に画像を表示する表示制御は、制御部Ｂ１０１によって行われる。例えば、制御部Ｂ１０１は、表示インターフェースＢ１０６から出力する画像データを生成するための表示制御信号を、プログラムに従って生成し、表示制御信号を用いてメディアプレイヤＢ１００の各機能部の処理を制御する。表示制御信号を用いてメディアプレイヤＢ１００の各機能部の処理が制御されることにより、画像データが生成され、生成された画像データが表示インターフェースＢ１０６から出力される。
【００３３】
無線ＬＡＮ部Ｂ１１１は、無線通信を行う通信ユニットである。無線ＬＡＮ部Ｂ１１１は、無線通信のためのアンテナと、無線信号を処理するための通信コントローラとを有し、ＩＥＥＥ８０２．１１規格に従った無線通信を行う。本実施形態では、無線ＬＡＮ部Ａ１１１は、メディアプレイヤＢ１００に接続されたスマートフォンＡ１００との間の通信を行う。具体的には、無線ＬＡＮ部Ｂ１１１は、無線ＬＡＮアクセスポイントＣ１００を介して、スマートフォンＡ１００との間の通信を行う。無線ＬＡＮ部Ｂ１１１の通信は、制御部Ｂ１０１によって制御される。なお、通信規格はＩＥＥＥ８０２．１１規格に限られない。
【００３４】
＜システムの概要＞
次に、図２（Ａ），２（Ｂ），３（Ａ）〜３（Ｃ），４を参照しながら、本実施形態に係る情報処理システムの動作を大まかに説明する。
【００３５】
図２（Ａ），２（Ｂ）は、表示部Ａ１０６および表示装置Ｄ１００に表示される画像の一例を示す。スマートフォンＡ１００（スマートフォンＡ１００の制御部Ａ１０１）は、後述の状態判断処理の結果に応じて、ＧＵＩ画像２００，２１０，２３０，２５０を表示部Ａ１０６に表示する表示制御を行う。また、本実施形態では、スマートフォンＡ１００は、所定のタイミングでメディアプレイヤＢ１００に対して画面更新要求を送信する。そして、メディアプレイヤＢ１００（メディアプレイヤＢ１００の制御部Ｂ１０１）は、スマートフォンＡ１００から受信した画面更新要求に従って、出力画像２２０，２５０を表示装置Ｄ１００に表示する表示制御を行う。そのため、画面更新要求に応じて表示装置Ｄ１００の表示が更新される。
【００３６】
まず、メディアプレイヤＢ１００に接続され、かつ、フォトブック編集アプリを実行している全てのスマートフォンの編集対象が、同じページ（フォトブックのページ）である場合の例について、図２（Ａ）を用いて説明する。以後、メディアプレイヤＢ１００に接続され、かつ、フォトブック編集アプリを実行しているスマートフォンを、「接続スマートフォン」と記載する。本実施形態では、ページの編集は、ページを編集するユーザ操作である編集操作に応じて、制御部Ａ１０１により行われる。
【００３７】
スマートフォンＡ１００の制御部Ａ１０１は、通常、スマートフォンＡ１００によるページの編集結果をリアルタイムで表示部Ａ１０６に表示する表示制御（通常表示制御）を行う。通常表示制御により、例えば、ＧＵＩ画像２００が表示される。符号２０１は、編集対象を１つ前のページに変更するユーザ操作を受け付けるアイコンを示す。符号２０２は、編集対象を１つ後のページに変更するユーザ操作を受け付けるアイコンを示す。符号
２０３〜２０６は、編集操作を受け付けるアイコンを示す。符号２０３は、フォトブックに追加する写真を選択するユーザ操作を受け付けるアイコンを示す。符号２０４は、フォトブックに配置された写真のトリミングを行うユーザ操作を受け付けるアイコンを示す。符号２０５は、フォトブックに配置された写真を移動するユーザ操作を受け付けるアイコンを示す。符号２０６は、フォトブックにコメントを入力するユーザ操作を受け付けるアイコンを示す。
【００３８】
本実施形態では、スマートフォンＡ１００の無線ＬＡＮ部Ａ１１１は、制御部Ａ１０１からの指示に応じて、制御部Ａ１０１によるページの編集状態を示す状態情報を、メディアプレイヤＢ１００に送信する。そして、無線ＬＡＮ部Ａ１１１は、管理情報をメディアプレイヤＢ１００から受信する。管理情報は、各接続スマートフォン（メディアプレイヤＢ１００に接続された各情報処理端末）の状態情報に基づいて、メディアプレイヤＢ１００により生成される。管理情報は、例えば、各接続スマートフォンについてページの編集状態を示す総合状態情報である。その後、制御部Ａ１０１は、管理情報に基づいて、状態判断処理を行う。状態判断処理は、各接続スマートフォンによるページの編集状態を判断する処理である。
【００３９】
なお、状態判断処理は、メディアプレイヤＢ１００で行われてもよい。その場合には、状態判断処理の結果（判断結果）に基づく情報を、管理情報として使用することができる。例えば、状態判断処理の結果を示す情報を、管理情報として使用することができる。
【００４０】
本実施形態では、制御部Ａ１０１は、状態判断処理によって以下の条件１，２を満たすと判断した場合に、通常表示制御を行う。そして、無線ＬＡＮ部Ａ１１１は、制御部Ａ１０１からの指示に応じて、スマートフォンＡ１００によるページの編集結果が表示装置Ｄ１００に順次更新されて表示されるように、画面更新要求をメディアプレイヤＢ１００に繰り返し出力する。本実施形態では、スマートフォンＡ１００によるページの編集結果が、画面更新要求に含まれる。ユーザがアイコン２０５を選択して矢印２０７に示すような写真移動操作を行った場合には、スマートフォンＡ１００は、写真移動操作が行われている間、メディアプレイヤＢ１００に画面更新要求を繰り返し出力する。これにより、編集過程２２１を示す出力画像２２０が、表示装置Ｄ１００に表示される。
条件１：全ての接続スマートフォンの編集対象が同じページである。
条件２：他の接続スマートフォン（スマートフォンＡ１００以外の接続スマートフォン）がページを編集していない。
【００４１】
なお、画面更新要求は、所定の時間間隔（例えば、６０Ｈｚ周期）で出力されてもよいし、そうでなくてもよい。画面更新要求が所定の時間間隔で出力される場合には、スマートフォンＡ１００によるページの編集結果は、表示装置Ｄ１００に所定の時間間隔で順次更新されて表示される。
【００４２】
一方、制御部Ａ１０１は、状態判断処理によって以下の条件３を満たすと判断した場合に、条件１を満たすか否かに拘らず、スマートフォンＡ１００によるページの編集を無効化する無効化制御を行う。編集を無効化できれば、無効化制御の方法は特に限定されない。本実施形態では、無効化制御により、操作部Ａ１０５による編集操作受付（編集操作の受け付け）が無効化される。具体的には、制御部Ａ１０１は、編集操作受付が無効化された画像を表示部Ａ１０６に表示する表示制御（無効化表示制御）を行う。無効化表示制御により、例えば、ＧＵＩ画像２１０が表示される。ＧＵＩ画像２１０は、アイコン２０３〜２０６を含まない。そのため、ユーザは、スマートフォンＡ１００に対する編集操作を行うことができない。また、ＧＵＩ画像２１０は、他のスマートフォンで編集が行われていることを示す通知ダイアログ２１１を含む。それにより、ユーザは、他のスマートフォンで編集が行われていることを把握することができる。
条件３：他の接続スマートフォンが、スマートフォンＡ１００の編集対象と同じページを編集している。
【００４３】
なお、複数のスマートフォンによる同じページの編集結果を、表示装置Ｄ１００の表示に対して同時に反映することができる場合には、条件２と条件３のどちらを満たすかの判断と、無効化制御とが省略されてもよい。条件１を満たす場合に、条件２と条件３のどちらを満たすかに拘らず、通常表示制御が行われてもよい。
【００４４】
次に、少なくとも１つの接続スマートフォンの編集対象が、他の接続スマートフォンの編集対象と異なる場合の例について、図２（Ｂ）を用いて説明する。制御部Ａ１０１は、状態判断処理によって上述した条件２と、以下の条件４とを満たすと判断した場合にも、通常表示制御を行う。本実施形態では、条件２，４を満たす場合には、画面更新操作を受付可能な画像を表示部Ａ１０６に表示する通常表示制御が行われる。画面更新操作は、表示装置Ｄ１００の表示を更新するユーザ操作である。例えば、通常表示制御により、ＧＵＩ画像２３０やＧＵＩ画像２４０が表示される。ＧＵＩ画像２３０とＧＵＩ画像２４０では、編集対象のページが異なる。符号２３１は、画面更新操作を受け付けるアイコンを示す。
条件４：少なくとも１つの接続スマートフォンの編集対象が、他の接続スマートフォンの編集対象と異なる。
【００４５】
そして、無線ＬＡＮ部Ａ１１１は、画面更新操作に応じて、画面更新要求をメディアプレイヤＢ１００に出力する。具体的には、無線ＬＡＮ部Ａ１１１は、画面更新操作に応じて制御部Ａ１０１から出力された指示に応じて、画面更新要求をメディアプレイヤＢ１００に出力する。それにより、画面更新操作に応じて、表示装置Ｄ１００の表示がスマートフォンＡ１００によるページの編集結果に更新される。例えば、ＧＵＩ画像２３０のアイコン２３１がユーザによって選択された場合には、表示装置Ｄ１００の表示が出力画像２５０に更新される。
【００４６】
一方、制御部Ａ１０１は、状態判断処理によって上述した条件３を満たすと判断した場合に、条件４を満たすか否かに拘らず、無効化制御（無効化表示制御）を行う。
【００４７】
なお、上述したように、複数のスマートフォンによる同じページの編集結果を、表示装置Ｄ１００の表示に対して同時に反映することができる場合には、条件２と条件３のどちらを満たすかの判断と、無効化制御とが省略されてもよい。条件４を満たす場合に、条件２と条件３のどちらを満たすかに拘らず、通常表示制御が行われてもよい。
【００４８】
なお、本実施形態では、スマートフォンＡ１００によるページの編集結果が画面更新要求に含まれる例を説明したが、これに限らない。スマートフォンＡ１００によるページの編集結果がメディアプレイヤＢ１００に常に出力されてもよい。その場合、スマートフォンＡ１００によるページの編集結果が画面更新要求に含まれなくてもよい。また、上述した処理が行われるように、スマートフォンＡ１００によるページの編集結果の出力のみが制御されてもよい。例えば、条件１，２を満たす場合に、スマートフォンＡ１００によるページの編集結果が順次更新されてメディアプレイヤＢ１００に出力されてもよい。条件２，４を満たす場合に、画面更新操作に応じて編集結果がメディアプレイヤＢ１００に出力されてもよい。そして、条件３を満たす場合に、編集結果が出力されなくてもよい。編集結果の出力のみを制御する場合、編集結果を画面更新要求と捉えてもよい。
【００４９】
図３（Ａ）〜３（Ｃ）は、管理情報３００の一例を示す。管理情報３００は、メディアプレイヤＢ１００の不揮発性メモリＢ１０３に記録される。メディアプレイヤＢ１００の無線ＬＡＮ部Ｂ１１１は、状態情報を接続スマートフォンから取得する処理を、各接続ス
マートフォンについて行う。各接続スマートフォンの状態情報が同じタイミングで取得されてもよいし、そうでなくてもよい。そして、メディアプレイヤＢ１００の制御部Ｂ１０１は、取得された状態情報に基づいて、管理情報３００の生成（更新）を行う。管理情報３００が更新された場合に、無線ＬＡＮ部Ｂ１１１は、制御部Ｂ１０１からの指示に応じて、更新後の管理情報３００を全ての接続スマートフォンに送信する。
【００５０】
図３（Ａ）〜３（Ｃ）には、管理情報３００として、各接続スマートフォンについてページの編集状態を示す総合状態情報が示されている。図３（Ａ）〜３（Ｃ）の例では、管理情報３００は、各接続スマートフォンについて、機器ＩＤ３０１、ユーザ名３０２、ＩＰアドレス３０３、編集ページ３０４、及び、編集状態３０５を含む。なお、管理情報３００は、機器ＩＤ３０１、ユーザ名３０２、ＩＰアドレス３０３、編集ページ３０４、及び、編集状態３０５以外の情報を含んでいてもよい。管理情報３００は、機器ＩＤ３０１、ユーザ名３０２、ＩＰアドレス３０３、編集ページ３０４、及び、編集状態３０５の少なくともいずれかを含んでいなくてもよい。例えば、管理情報３００は、機器ＩＤ３０１とユーザ名３０２を含んでいなくてもよい。
【００５１】
機器ＩＤ３０１は、接続スマートフォンを一意に特定するために設定された識別子である。ユーザ名３０２は、接続スマートフォンのユーザを一意に特定するために設定された文字列である。ＩＰアドレス３０３は、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）による通信において接続スマートフォンを一意に特定するために設定された識別子である。編集ページ３０４は、接続スマートフォンの編集対象となっているページを示す。編集状態３０５は、接続スマートフォンでの編集操作の有無を示す情報である。編集状態３０５として、「編集なし」と「編集中」のいずれかが設定される。「編集なし」は編集操作が行われていないことを意味し、「編集中」は編集操作が行われていることを意味する。
【００５２】
図３（Ａ）は、全ての接続スマートフォンのＡ１００の編集対象が同じページであり、かつ、全ての接続スマートフォンにおいて編集操作が行われていない場合の例を示す。図３（Ｂ）は、全ての接続スマートフォンのＡ１００の編集対象が同じページであり、かつ、１つの接続スマートフォンにおいてのみ編集操作が行われている場合の例を示す。具体的には、図３（Ｂ）では、機器ＩＤ３０１「ＳＭＰ００１」の接続スマートフォンにおいてのみ編集操作が行われている。即ち、図３（Ａ），３（Ｂ）は、上述した条件１を満たす場合の例を示す。図３（Ｃ）は、少なくとも１つの接続スマートフォンの編集対象が、他の接続スマートフォンの編集対象と異なる場合の例を示す。即ち、図３（Ｃ）は、上述した条件４を満たす場合の例を示す。
【００５３】
図４は、本実施形態に係る情報処理システムの処理フローの一例を示すシーケンス図である。図４において、スマートフォン４０１，４０２は、スマートフォンＡ１００と同様の構成を有し、メディアプレイヤ４０３は、メディアプレイヤＢ１００と同様の構成を有する。ここでは、機器間の通信に無線ＬＡＮが使用される例を説明する。図４の処理フローの開始時において、スマートフォン４０１，４０２と、メディアプレイヤ４０３とが、無線ＬＡＮアクセスポイントＣ１００との接続のための接続処理を既に完了しているものとする。また、図４の処理フローの開始時において、スマートフォン４０１の編集対象が、スマートフォン４０２の編集対象と同じであり、且つ、スマートフォン４０１，４０２の編集操作が行われていないものとする。
【００５４】
スマートフォン４０１は、Ｓ４１１にて編集開始操作を受け付けると、Ｓ４１２にて編集開始通知をメディアプレイヤ４０３に送信する。編集開始操作は編集を開始するためのユーザ操作であり、編集開始通知は編集の開始を示す通知である。編集開始通知は、複数種類の状態情報の１つである。ここでは、編集開始通知に、自機器の機器ＩＤ３０１が少
なくとも含まれる。スマートフォン４０１に対する編集開始操作が行われたタイミングから、スマートフォン４０１に対する編集終了操作が行われるタイミングまでの期間に、スマートフォン４０１に対する編集操作が行われる。編集終了操作については後述する。
【００５５】
メディアプレイヤ４０３は、Ｓ４１２の編集開始通知を受信すると、Ｓ４１３にて、管理情報３００を更新する。具体的には、メディアプレイヤ４０３は、編集開始通知に含まれた機器ＩＤ３０１に対応する編集状態３０５を「編集なし」から「編集中」に更新する。
【００５６】
続いて、メディアプレイヤ４０３は、Ｓ４１４にて、編集開始応答をスマートフォン４０１に送信する。また、メディアプレイヤ４０３は、Ｓ４１５にて、編集状態更新通知をスマートフォンＡ４０２に送信する。編集開始応答は、編集開始通知に対する応答であり、編集状態更新通知は、管理情報３００が更新されたことを示す通知である。編集開始応答と編集状態更新通知には、少なくとも管理情報３００が含まれる。
【００５７】
スマートフォン４０２は、Ｓ４１５の編集状態更新通知を受信すると、Ｓ４１６にて、表示制御を通常表示制御から無効化表示制御に切り替える。即ち、編集操作の受け付けが無効化される。例えば、Ｓ４１６の無効化表示制御により、スマートフォン４０２の表示部Ａ１０６に、図２（Ａ）のＧＵＩ画像２１０が表示される。
【００５８】
スマートフォン４０１は、Ｓ４１４の編集開始応答を受信すると、Ｓ４１７にて、画面更新要求をメディアプレイヤ４０３に送信する。ここで、スマートフォン４０１は、画面更新要求に、スマートフォン４０１によるページの編集結果に関する情報を少なくとも含める。編集結果に関する情報は、「編集結果を示す画像の生成に必要な情報」と言うこともできる。編集結果に関する情報として、例えば、ページ内の写真のレイアウトを示すレイアウト情報、移動中の写真の座標を示す座標情報、等が使用される。
【００５９】
メディアプレイヤ４０３は、Ｓ４１７の画面更新要求を受信すると、Ｓ４１８にて、スマートフォン４０１によるページの編集結果を示す出力画像を生成し、生成した出力画像を表示装置Ｄ１００に出力する。それにより、生成された出力画像が、表示装置Ｄ１００に表示される。メディアプレイヤ４０３は、画面更新要求に含まれた情報（編集結果に関する情報）に従って出力画像を生成する。スマートフォン４０１は、スマートフォン４０１に対する編集終了操作が行われるタイミングまで、所定の時間間隔で画面更新要求を繰り返し出力する。その結果、スマートフォン４０１によるページの編集結果は、表示装置Ｄ１００に所定の時間間隔で順次更新されて表示される。即ち、スマートフォン４０１によるページの編集過程が、表示装置Ｄ１００にリアルタイムで表示される。
【００６０】
スマートフォン４０１は、Ｓ４１９にて編集終了操作を受け付けると、Ｓ４２０にて編集終了通知をメディアプレイヤ４０３に送信する。編集終了操作は編集を終了するためのユーザ操作であり、編集終了通知は編集の終了を示す通知である。編集終了通知は、複数種類の状態情報の１つである。ここでは、編集終了通知に、自機器の機器ＩＤ３０１が少なくとも含まれる。
【００６１】
メディアプレイヤ４０３は、Ｓ４２０の編集終了通知を受信すると、Ｓ４２１にて、管理情報３００を更新する。具体的には、メディアプレイヤ４０３は、編集開始通知に含まれた機器ＩＤ３０１に対応する編集状態３０５を「編集中」から「編集なし」に更新する。
【００６２】
続いて、メディアプレイヤ４０３は、Ｓ４２２にて、編集終了応答をスマートフォン４０１に送信する。また、メディアプレイヤ４０３は、Ｓ４２３にて、編集状態更新通知を
スマートフォンＡ４０２に送信する。編集終了応答は、編集終了通知に対する応答である。編集終了応答には、少なくとも管理情報３００が含まれる。
【００６３】
スマートフォン４０１は、Ｓ４２２の編集終了応答を受信すると、Ｓ４２４にて、Ｓ４１７と同様に、画面更新要求をメディアプレイヤ４０３に送信する。メディアプレイヤ４０３は、Ｓ４２４の画面更新要求を受信すると、Ｓ４２５にて、Ｓ４１８と同様に、出力画像を生成し、生成した出力画像を表示装置Ｄ１００に出力する。このように、本実施形態では、スマートフォン４０１による編集が完了したタイミングでも表示の更新がメディアプレイヤ４０３に指示される。その結果、スマートフォン４０１による編集が完了したタイミングでも表示装置Ｄ１００の表示がスマートフォン４０１による編集結果に更新される。なお、Ｓ４２４の処理と、Ｓ４２５の処理とが省略されてもよい。
【００６４】
スマートフォン４０２は、Ｓ４２３の編集状態更新通知を受信すると、Ｓ４２６にて、表示制御を無効化表示制御から通常表示制御に切り替える。即ち、編集操作が有効化される。例えば、Ｓ４２６の通常表示制御により、スマートフォン４０２の表示部Ａ１０６に、図２（Ａ）のＧＵＩ画像２００が表示される。
【００６５】
スマートフォン４０２は、Ｓ４２７にて編集ページ変更操作を受け付けると、Ｓ４２８にて編集ページ更新要求をメディアプレイヤ４０３に送信する。編集ページ変更操作は、編集対象のページを変更するためのユーザ操作である。例えば、編集ページ変更操作は、図２（Ａ）のアイコン２０１またはアイコン２０２を選択するユーザ操作である。編集ページ更新要求は、編集対象のページの更新についての要求である。編集ページ更新要求は、複数種類の状態情報の１つである。ここでは、編集ページ更新要求に、自機器の機器ＩＤ３０１と、自機器の変更後の編集ページ３０４とが少なくとも含まれる。
【００６６】
メディアプレイヤ４０３は、Ｓ４２８の編集ページ更新要求を受信すると、Ｓ４２９にて、管理情報３００を更新する。具体的には、メディアプレイヤ４０３は、編集ページ更新要求に含まれた機器ＩＤ３０１に対応する編集ページ３０４を、編集ページ更新要求に含まれた編集ページ３０４に更新する。
【００６７】
続いて、メディアプレイヤ４０３は、Ｓ４３０にて、編集ページ更新応答をスマートフォン４０２に送信する。また、メディアプレイヤ４０３は、Ｓ４３１にて、編集ページ更新通知をスマートフォンＡ４０１に送信する。編集ページ更新応答は、編集ページ更新要求に対する応答であり、編集ページ更新通知は、編集ページ３０４が更新されたことを示す通知である。編集ページ更新応答と編集ページ更新通知には、少なくとも管理情報３００が含まれる。
【００６８】
スマートフォン４０２は、Ｓ４３０の編集ページ更新応答を受信すると、Ｓ４３２にて、画面更新操作を受け付け可能な通常表示制御を行う。例えば、Ｓ４３２の通常表示制御により、スマートフォン４０２の表示部Ａ１０６に、図２（Ｂ）のＧＵＩ画像２４０が表示される。即ち、画面更新操作を受け付けるアイコンである画面更新アイコン２３１を表示する通常表示制御が行われる。
【００６９】
スマートフォン４０１は、Ｓ４３１の編集ページ更新通知を受信すると、Ｓ４３３にて、画面更新操作を受け付け可能な通常表示制御を行う。例えば、Ｓ４３３の通常表示制御により、スマートフォン４０１の表示部Ａ１０６に、図２（Ｂ）のＧＵＩ画像２３０が表示される。即ち、画面更新アイコン２３１を表示する通常表示制御が行われる。
【００７０】
スマートフォン４０１が、Ｓ４３４にて、Ｓ４１１と同様に、編集開始操作を受け付けると、スマートフォン４０１，４０２およびメディアプレイヤ４０３により、Ｓ４３５〜
Ｓ４３８の処理が行われる。Ｓ４３５〜Ｓ４３８の処理は、Ｓ４１２〜Ｓ４１５の処理と同じである。
【００７１】
スマートフォン４０１が、Ｓ４３９にて、Ｓ４１９と同様に、編集終了操作を受け付けると、スマートフォン４０１，４０２およびメディアプレイヤ４０３により、Ｓ４４０〜Ｓ４４３の処理が行われる。Ｓ４４０〜Ｓ４４３の処理は、Ｓ４２０〜Ｓ４２３の処理と同じである。
【００７２】
スマートフォン４０１は、Ｓ４４４にて画面更新操作を受け付けると、Ｓ４４５にて、Ｓ４１７と同様に、画面更新要求をメディアプレイヤ４０３に送信する。画面更新操作は、表示装置Ｄ１００の表示を更新するためのユーザ操作である。例えば、画面更新操作は、図２（Ｂ）の画面更新アイコン２３１を選択するユーザ操作である。
【００７３】
メディアプレイヤ４０３は、Ｓ４４５の画面更新要求を受信すると、Ｓ４４６にて、Ｓ４１８と同様に、出力画像を生成し、生成した出力画像を表示装置Ｄ１００に出力する。
【００７４】
＜各装置の動作＞
次に、本実施形態に係る情報処理システムが有する各装置の動作について、詳細に説明する。まず、スマートフォンＡ１００（スマートフォン４０１，４０２）の動作について、図５，６を用いて詳細に説明する。図５，６は、スマートフォンＡ１００の処理フローの一例を示すフローチャートである。なお、図５，６のフローチャートに示された処理は、スマートフォンＡ１００の制御部Ａ１０１が入力信号やプログラムに従いスマートフォンＡ１００の各機能部の処理を制御することにより、実現される。図５，６のフローチャートに示された処理は、フォトブック編集アプリが実行中であると制御部Ａ１０１が判断している間、繰り返し実行される。
【００７５】
Ｓ５０１にて、制御部Ａ１０１は、操作部Ａ１０５が編集開始操作を受け付けたか否かを判断する。編集開始操作を受け付けたと判断された場合に、Ｓ５０２に処理が進められ、編集開始操作を受け付けていないと判断された場合に、Ｓ５０４に処理が進められる。
【００７６】
Ｓ５０２にて、制御部Ａ１０１は、無線ＬＡＮ部Ａ１１１を介してメディアプレイヤＢ１００に、編集開始通知を送信する。Ｓ５０２の処理は、図４のＳ４１２またはＳ４３５の処理に対応する。
【００７７】
Ｓ５０３にて、制御部Ａ１０１は、編集開始応答を受信したか否かを判断する。編集開始応答は、無線ＬＡＮ部Ａ１１１を介してメディアプレイヤＢ１００から受信される。編集開始応答を受信したと判断された場合に、Ｓ５１５に処理が進められる。編集受信していないと判断された場合には、編集開始応答を受信したと判断されるまで、Ｓ５０３の処理が繰り返される。
【００７８】
Ｓ５０４にて、制御部Ａ１０１は、操作部Ａ１０５が編集終了操作を受け付けたか否かを判断する。編集終了操作を受け付けたと判断された場合に、Ｓ５０５に処理が進められ、編集終了操作を受け付けていないと判断された場合に、Ｓ５０７に処理が進められる。
【００７９】
Ｓ５０５にて、制御部Ａ１０１は、無線ＬＡＮ部Ａ１１１を介してメディアプレイヤＢ１００に、編集終了通知を送信する。Ｓ５０５の処理は、図４のＳ４２０またはＳ４４０の処理に対応する。
【００８０】
Ｓ５０６にて、制御部Ａ１０１は、編集終了応答を受信したか否かを判断する。編集終了応答は、無線ＬＡＮ部Ａ１１１を介してメディアプレイヤＢ１００から受信される。編
集終了応答を受信したと判断された場合に、Ｓ５１５に処理が進められる。編集終了応答を受信していないと判断された場合には、編集終了応答を受信したと判断されるまで、Ｓ５０６の処理が繰り返される。
【００８１】
Ｓ５０７にて、制御部Ａ１０１は、操作部Ａ１０５が編集ページ変更操作を受け付けたか否かを判断する。編集ページ変更操作を受け付けたと判断された場合に、Ｓ５０８に処理が進められ、編集ページ変更操作を受け付けていないと判断された場合に、Ｓ５１０に処理が進められる。
【００８２】
Ｓ５０８にて、制御部Ａ１０１は、無線ＬＡＮ部Ａ１１１を介してメディアプレイヤＢ１００に、編集ページ更新要求を送信する。Ｓ５０８の処理は、図４のＳ４２８の処理に対応する。
【００８３】
Ｓ５０９にて、制御部Ａ１０１は、編集ページ更新応答を受信したか否かを判断する。編集ページ更新応答は、無線ＬＡＮ部Ａ１１１を介してメディアプレイヤＢ１００から受信される。編集ページ更新応答を受信したと判断された場合に、Ｓ５１５に処理が進められる。編集ページ更新応答を受信していないと判断された場合には、編集ページ更新応答を受信したと判断されるまで、Ｓ５０９の処理が繰り返される。
【００８４】
Ｓ５１０にて、制御部Ａ１０１は、編集状態更新通知を受信したか否かを判断する。編集状態更新通知は、無線ＬＡＮ部Ａ１１１を介してメディアプレイヤＢ１００から受信される。編集状態更新通知を受信したと判断された場合に、Ｓ５１５に処理が進められ、編集状態更新通知を受信していないと判断された場合に、Ｓ５１１に処理が進められる。
【００８５】
Ｓ５１１にて、制御部Ａ１０１は、編集ページ更新通知を受信したか否かを判断する。編集ページ更新通知は、無線ＬＡＮ部Ａ１１１を介してメディアプレイヤＢ１００から受信される。編集ページ更新通知を受信したと判断された場合に、Ｓ５１５に処理が進められ、編集ページ更新通知を受信していないと判断された場合に、Ｓ５１２に処理が進められる。
【００８６】
Ｓ５１２にて、制御部Ａ１０１は、操作部Ａ１０５が画面更新操作（画面更新アイコン２３１の選択）を受け付けたか否かを判断する。画面更新操作を受け付けたと判断された場合に、Ｓ５２８に処理が進められ、画面更新操作を受け付けていないと判断された場合に、Ｓ５１３に処理が進められる。
【００８７】
Ｓ５１３にて、制御部Ａ１０１は、メモリＡ１０２を参照し、自動画面更新の設定が有効であるか否かを判断する。なお、制御部Ａ１０１は、Ｓ５１８またはＳ５２１において、自動画面更新の設定の有効または無効を、メモリＡ１０２に記録する。自動画面更新の設定が有効であると判断された場合に、Ｓ５１４に処理が進められ、自動画面更新の設定が無効であると判断された場合に、Ｓ５０１に処理が戻される。
【００８８】
Ｓ５１４にて、制御部Ａ１０１は、Ｓ５１８の処理またはＳ５２８の処理を実行したタイミングから所定時間が経過したか否かを判断する。所定時間が経過したと判断された場合に、Ｓ５２８に処理が進められ、所定時間が経過していないと判断された場合に、Ｓ５０１に処理が進められる。
【００８９】
Ｓ５１５にて、制御部Ａ１０１は、メディアプレイヤＢ１００から受信した管理情報３００を参照し、全ての接続スマートフォンの編集ページ３０４が同一であるか否かを判断する。管理情報３００は、編集開始応答、編集終了応答、編集ページ更新応答、編集状態更新通知、編集ページ更新通知、等に含まれる。全ての接続スマートフォンの編集ページ
３０４が同一であると判定された場合に、Ｓ５１６に処理が進められ、それ以外の場合に、Ｓ５２４に処理が進められる。
【００９０】
Ｓ５１６にて、制御部Ａ１０１は、画面更新操作の受け付けを無効化する。例えば、制御部Ａ１０１は、表示部Ａ１０６に表示された画像から画面更新アイコン２３１を消去する（画面更新アイコン２３１の非表示）。
【００９１】
Ｓ５１７にて、制御部Ａ１０１は、メディアプレイヤＢ１００から受信した管理情報３００を参照し、編集状態３０５が「編集中」である接続スマートフォンを判断する。ここで、編集状態３０５が「編集中」である接続スマートフォンを「編集機器」と記載する。自機器の編集状態３０５が「編集中」である場合、すなわち編集機器が自機器である場合に、Ｓ５１８に処理が進められる。他の接続スマートフォンの編集状態３０５が「編集中」である場合、すなわち編集機器が他機器である場合に、Ｓ５１９の処理が進められる。そして、全ての接続スマートフォンの編集状態３０５が「編集なし」である場合、すなわち編集機器が存在しない場合に、Ｓ５２１に処理が進められる。
【００９２】
Ｓ５１８にて、制御部Ａ１０１は、自動画面更新の設定を有効化する。具体的には、制御部Ａ１０１は、自動画面更新の設定が有効であることを、メモリ１０２に記録する。
【００９３】
Ｓ５１９にて、制御部Ａ１０１は、編集操作の受け付けを無効化する。例えば、制御部Ａ１０１は、表示部Ａ１０６に表示された画像からアイコン２０３〜２０６を消去し、表示部Ａ１０６に表示された画像にダイアログ２１１を追加する（アイコン２０３〜２０６の非表示、及び、ダイアログ２１１の表示）。Ｓ５１９の処理は、図４のＳ４１６の処理に対応する。
【００９４】
Ｓ５２０にて、制御部Ａ１０１は、Ｓ５１３と同様に、自動画面更新の設定が有効であるか否かを判断する。自動画面更新の設定が有効であると判断された場合に、Ｓ５２１に処理が進められ、自動画面更新の設定が無効であると判断された場合に、Ｓ５２３に処理が進められる。
【００９５】
Ｓ５２１にて、制御部Ａ１０１は、自動画面更新の設定を無効化する。具体的には、制御部Ａ１０１は、自動画面更新の設定が無効であることを、メモリ１０２に記録する。
【００９６】
Ｓ５２２にて、制御部Ａ１０１は、無線ＬＡＮ部Ａ１１１を介してメディアプレイヤＢ１００に、画面更新要求を送信する。Ｓ５２２の処理は、図４のＳ４２４の処理に対応する。
【００９７】
Ｓ５２３にて、制御部Ａ１０１は、編集操作の受け付けを有効化する。例えば、制御部Ａ１０１は、表示部Ａ１０６に表示された画像にアイコン２０３〜２０６を追加する（アイコン２０３〜２０６の表示）。
【００９８】
Ｓ５２４にて、制御部Ａ１０１は、画面更新操作の受け付けを有効化する。例えば、制御部Ａ１０１は、表示部Ａ１０６に表示された画像に画面更新アイコン２３１を追加する（画面更新アイコン２３１の表示）。
【００９９】
Ｓ５２５にて、制御部Ａ１０１は、メディアプレイヤＢ１００から受信した管理情報３００を参照し、編集ページ３０４が自機器と同一であり、かつ、編集状態３０５が「編集中」である他の接続スマートフォンが存在するか否かを判断する。上記他の接続スマートフォンが存在すると判断された場合に、Ｓ５２６に処理が進められ、上記他の接続スマートフォンが存在しないと判断された場合に、Ｓ５２７に処理が進められる。
【０１００】
Ｓ５２６にて、制御部Ａ１０１は、画面更新操作と編集操作の受け付けを無効化する。例えば、制御部Ａ１０１は、表示部Ａ１０６に表示された画像から、画面更新アイコン２３１と、アイコン２０３〜２０６とを消去する（画面更新アイコン２３１と、アイコン２０３〜２０６との非表示）。そして、制御部Ａ１０１は、表示部Ａ１０６に表示された画像に、画面更新操作と編集操作の受け付けが無効化された旨を通知するダイアログ（不図示）を追加する（ダイアログの表示）。
【０１０１】
Ｓ５２７にて、制御部Ａ１０１は、編集操作の受け付けを有効化する。例えば、制御部Ａ１０１は、表示部Ａ１０６に表示された画像にアイコン２０３〜２０６を追加する（アイコン２０３〜２０６の表示）。
【０１０２】
Ｓ５２８にて、制御部Ａ１０１は、Ｓ５２２と同様に、無線ＬＡＮ部Ａ１１１を介してメディアプレイヤＢ１００に、画面更新要求を送信する。Ｓ５２８の処理は、図４のＳ４１７またはＳ４４５の処理に対応する。
【０１０３】
このように、スマートフォンＡ１００では、全ての接続スマートフォンの編集対象が同一か否か、等に応じて、メディアプレイヤＢ１００へ画面更新要求を出力するタイミングが変更される。
【０１０４】
次に、メディアプレイヤＢ１００（メディアプレイヤ４０３）の動作について、図７を用いて詳細に説明する。図７は、メディアプレイヤＢ１００の処理フローの一例を示すフローチャートである。なお、図７のフローチャートに示された処理は、メディアプレイヤＢ１００の制御部Ｂ１０１が入力信号やプログラムに従いメディアプレイヤＢ１００の各機能部の処理を制御することにより、実現される。図７のフローチャートに示された処理は、接続スマートフォンにおいてフォトブック編集アプリが実行中であると制御部Ｂ１０１が判断している間、繰り返し実行される。
【０１０５】
Ｓ６０１にて、制御部Ｂ１０１は、画面更新要求を受信したか否かを判断する。画面更新要求は、無線ＬＡＮ部Ｂ１１１を介してスマートフォンＡ１００から受信される。画像更新要求を受信したと判断された場合に、Ｓ６０２に処理が進められ、画面更新要求を受信していない判断された場合に、Ｓ６０３に処理が進められる。
【０１０６】
Ｓ６０２にて、制御部Ｂ１０１は、Ｓ６０１の画面更新要求に含まれた情報に従って出力画像を生成し、生成した出力画像を表示装置Ｄ１００に出力する。Ｓ６０２の処理は、図４のＳ４１８、Ｓ４２５、または、Ｓ４４６の処理に対応する。
【０１０７】
Ｓ６０３にて、制御部Ｂ１０１は、編集開始通知を受信したか否かを判断する。編集開始通知は、無線ＬＡＮ部Ｂ１１１を介してスマートフォンＡ１００から受信される。編集開始通知を受信したと判断された場合に、Ｓ６０４に処理が進められ、編集開始通知を受信していないと判断された場合に、Ｓ６０７に処理が進められる。
【０１０８】
Ｓ６０４にて、制御部Ｂ１０１は、管理情報３００を更新する。具体的には、制御部Ｂ１０１は、Ｓ６０３の編集開始通知に含まれた機器ＩＤ３０１に対応する編集状態３０５を「編集なし」から「編集中」に更新する。Ｓ６０４の処理は、図４のＳ４１３またはＳ４３６の処理に対応する。
【０１０９】
Ｓ６０５にて、制御部Ｂ１０１は、無線ＬＡＮ部Ｂ１１１を介して、Ｓ６０３の編集開始通知の送信元であるスマートフォンＡ１００に、編集開始応答を送信する。Ｓ６０５の処理は、図４のＳ４１４またはＳ４３７の処理に対応する。
【０１１０】
Ｓ６０６にて、制御部Ｂ１０１は、無線ＬＡＮ部Ｂ１１１を介して他の全ての接続スマートフォン（Ｓ６０３の編集開始通知の送信元でない接続スマートフォン）に、編集状態更新通知を送信する。Ｓ６０６の処理は、図４のＳ４１５またはＳ４３８の処理に対応する。
【０１１１】
Ｓ６０７にて、制御部Ｂ１０１は、編集終了通知を受信したか否かを判断する。編集終了通知は、無線ＬＡＮ部Ｂ１１１を介してスマートフォンＡ１００から受信される。編集終了通知を受信したと判断された場合に、Ｓ６０８に処理が進められ、編集終了通知を受信していないと判断された場合に、Ｓ６１１に処理が進められる。
【０１１２】
Ｓ６０８にて、制御部Ｂ１０１は、管理情報３００を更新する。具体的には、制御部Ｂ１０１は、Ｓ６０７の編集終了通知に含まれた機器ＩＤ００１に対応する編集状態３０５を「編集中」から「編集なし」に更新する。Ｓ６０８の処理は、図４のＳ４２１またはＳ４４１の処理に対応する。
【０１１３】
Ｓ６０９にて、制御部Ｂ１０１は、無線ＬＡＮ部Ｂ１１１を介して、Ｓ６０７の編集終了通知の送信元であるスマートフォンＡ１００に、編集終了応答を送信する。Ｓ６０９の処理は、図４のＳ４２２またはＳ４４２の処理に対応する。
【０１１４】
Ｓ６１０にて、制御部Ｂ１０１は、無線ＬＡＮ部Ｂ１１１を介して他の全ての接続スマートフォン（Ｓ６０７の編集終了通知の送信元でない接続スマートフォン）に、編集状態更新通知を送信する。Ｓ６１０の処理は、図４のＳ４２３またはＳ４４３の処理に対応する。
【０１１５】
Ｓ６１１にて、制御部Ｂ１０１は、編集ページ更新要求を受信したか否かを判断する。編集ページ更新要求は、無線ＬＡＮ部Ｂ１１１を介してスマートフォンＡ１００から受信される。編集ページ更新要求を受信したと判断された場合に、Ｓ６１２に処理が進められ、編集ページ更新要求を受信していないと判断された場合に、Ｓ６０１に処理が戻される。
【０１１６】
Ｓ６１２にて、制御部Ｂ１０１は、管理情報３００を更新する。具体的には、制御部Ｂ１０１は、Ｓ６１１の編集ページ更新要求に含まれた機器ＩＤ３０１に対応する編集ページ３０４を、Ｓ６１１の編集ページ更新要求に含まれた編集ページ３０４に更新する。Ｓ６１２の処理は、図４のＳ４２９の処理に対応する。
【０１１７】
Ｓ６１３にて、制御部Ｂ１０１は、無線ＬＡＮ部Ｂ１１１を介して、Ｓ６１１の編集ページ更新要求の送信元であるスマートフォンＡ１００に、編集ページ更新応答を送信する。Ｓ６１３の処理は、図４のＳ４３０の処理に対応する。
【０１１８】
Ｓ６１４にて、制御部Ｂ１０１は、無線ＬＡＮ部Ｂ１１１を介して他の全ての接続スマートフォン（Ｓ６１１の編集ページ更新要求の送信元でない接続スマートフォン）に、編集ページ更新通知を送信する。Ｓ６１４の処理は、図４のＳ４３１の処理に対応する。
【０１１９】
このように、メディアプレイヤＢ１００では、スマートフォンＡ１００からの通知や要求に応じて、管理情報の更新、管理情報の通知、および、画像の出力が行われる。
【０１２０】
以上述べたように、本実施形態によれば、全ての情報処理端末（接続スマートフォン）の編集対象が同一か否か、等に応じて、第２の表示部（表示装置Ｄ１００）の表示を更新するタイミングが変更される。それにより、複数の情報処理端末の編集状態に依らず、画
像出力装置（メディアプレイヤ）が部分コンテンツを好適なタイミングで第２の表示部に表示できる。
【０１２１】
＜その他の実施形態＞
上述の実施形態では、フォトブックを構成する複数のページのいずれかを編集する例を説明したが、コンテンツはフォトブックに限らないし、部分コンテンツはフォトブックのページに限らない。例えば、コンテンツとしてドキュメントが使用され、ドキュメントを構成する複数のページが複数の部分コンテンツとして使用されてもよい。ドキュメントを構成する複数の段落が複数の部分コンテンツとして使用されてもよい。コンテンツとして動画が使用され、動画を構成する複数のシーンが複数の部分コンテンツとして使用されてもよい。動画を構成する複数のフレームが複数の部分コンテンツとして使用されてもよい。なお、同じ複数のページ、同じ複数の段落、同じ複数のシーン、同じ複数のフレーム、等は、編集の際の際の拡大率、拡大箇所、等が異なる場合に、同じ複数の部分コンテンツとして扱われてもよいし、互いに異なる複数の部分コンテンツとして扱われてもよい。
【０１２２】
上述の実施形態では、第２の表示部の表示を更新するタイミングが情報処理端末によって制御される例を説明したが、第２の表示部の表示を更新するタイミングが画像出力装置によって制御されてもよい。画像出力装置において、第２の表示部に画像を表示する表示制御の方法が、各情報処理端末の状態情報に基づいて制御されてもよい。例えば、画像出力装置は、接続された全ての情報処理端末の編集対象が同じ部分コンテンツである場合に、第１の表示制御を行ってもよい。そして、画像出力装置は、接続された少なくとも１つの情報処理端末の編集対象が、接続された他の情報処理端末の編集対象と異なる場合に、第２の表示制御を行ってもよい。第１の表示制御は、接続された情報処理端末から受信された当該部分コンテンツの編集結果を第２の表示部に順次更新して表示する表示制御である。第２の表示制御は、第２の表示部の表示を更新する指示が情報処理端末から受信されたことに応じて、当該情報処理端末の編集結果に第２の表示部の表示を更新する表示制御である。この場合には、状態判断処理は、画像出力装置で行われる。また、この場合には、画像出力装置は、管理情報を情報処理端末に出力しなくてもよい。
【０１２３】
上述の実施形態では、画像出力装置が、出力画像を生成し、生成した出力画像を第２の表示部に出力する例を説明したが、これに限らない。情報処理端末が、出力画像を生成し、生成した出力画像を画像出力装置に出力してもよい。そして、画像出力装置が、情報処理端末から取得した出力画像を第２の表示部に出力してもよい。
【０１２４】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１２５】
Ａ１００，４０１，４０２：スマートフォン  Ｂ１００，４０３：メディアプレイヤ
Ａ１０１，Ｂ１０１：制御部  Ａ１０５：操作部  Ａ１１１，Ｂ１１１：無線ＬＡＮ部
【図１】
2017049625.tif 000003
【図２】
2017049625.tif 000004
【図３】
2017049625.tif 000005
【図４】
2017049625.tif 000006
【図５】
2017049625.tif 000007
【図６】
2017049625.tif 000008
【図７】
2017049625.tif 000009